(57)【要約】  【課題】  皮膚保湿成分の衣料への吸着性を促進させ、それによって高いスキンケア効果を衣料に付与できる衣料用処理剤組成物の提供。  【解決手段】  （ａ）皮膚保湿成分と、（ｂ）多糖類のOH基のHの一部又は全てが、一般式（ｂ１）    −Ｒ1−（ＯＡ）a−Ｂ−Ｒ2        （ｂ１）［式中、Ｒ1は炭素数１〜６の２価の飽和炭化水素基、Ａは炭素数１〜６の２価の飽和炭化水素基、ａは８〜３００、Ｂは−Ｏ−、−ＣＯＯ−又は−ＯＣＯ−、Ｒ2は炭素数４〜３０の炭化水素基を示す。］で表される基で置換されている多糖誘導体とを、（ａ）成分／（ｂ）成分＝１／１００〜９／１の質量比で含有する衣料用処理剤組成物、並びに（ａ）成分を、この衣料用処理剤組成物で処理した衣料から放出させる方法。【選択図】  なし【特許請求の範囲】
【請求項１】
（ａ）皮膚保湿成分と、（ｂ）多糖類のヒドロキシ基の水素原子の一部又は全てが、一般式（ｂ１）
−Ｒ1−（ＯＡ）a−Ｂ−Ｒ2        （ｂ１）
［式中、Ｒ1はヒドロキシ基又はオキソ基で置換されていてもよい炭素数１〜６の直鎖若しくは分岐鎖の２価の飽和炭化水素基を示し、Ａはヒドロキシ基又はオキソ基で置換されていてもよい炭素数１〜６の直鎖若しくは分岐鎖の２価の飽和炭化水素基を示し、ａは８〜３００の数を示し、ａ個のＡは同一又は異なっていてもよい。Ｂは−Ｏ−、−ＣＯＯ−又は−ＯＣＯ−から選ばれる基を示し、Ｒ2はヒドロキシ基で置換されていてもよい炭素数４〜３０の直鎖又は分岐鎖の炭化水素基を示す。］
で表される基（以下基（ｂ１）という）で置換されている多糖誘導体（基（ｂ１）中のヒドロキシ基の水素原子は更に基（ｂ１）で置換されていてもよい）とを、（ａ）成分／（ｂ）成分＝１／１００〜９／１の質量比で含有する衣料用処理剤組成物。
【請求項２】
（ａ）成分が、下記（Ｉ）〜（IX）群から選ばれる少なくとも１種の化合物である請求項１記載の衣料用処理剤組成物。
（Ｉ）一般式（ａ１）で表されるアミン化合物
【化１】
2005082915.tif 000014
〔式中、Ｒ3及びＲ4は同一又は異なって、水素原子、又はヒドロキシ基で置換されていてもよい炭素数１〜２０の炭化水素基であり、少なくとも一方には、窒素原子に対してβ位にヒドロキシ基が置換されている。Ｄは−Ｏ−又は−ＯＣＯ−から選ばれる基であり、Ｒ5はヘテロ原子を含んでいてもよい炭素数１〜４０の炭化水素基である。〕
（II）一般式（ａ２）で表されるアミド化合物
【化２】
2005082915.tif 000015
〔式中、Ｒ6及びＲ8は同一又は異なって、ヒドロキシ基で置換されていても良い炭素数１〜４０の炭化水素基であり、少なくとも一方はヒドロキシ基で置換されていても良い炭素数１２〜４０の炭化水素基である。Ｒ7はヒドロキシ基又はアルキルオキシ基で置換されていても良い炭素数１〜５の炭化水素基である。Ｅは−Ｏ−又は−ＯＣＯ−から選ばれる基であり、ｂは０又は１の数である。〕
（III）セラミド類から選ばれる化合物
（IV）イソステアリル基、イソステアロイル基、オレイル基、オレオイル基及びコレステリル基から選ばれる１種以上の基と、エーテル基、エステル基、アミド基、ヒドロキシ基及びカルボキシル基から選ばれる１種以上の基を有する化合物
（Ｖ）（IV）の化合物以外のステロール類、トレハロース、セラキルアルコール、エリトリトール、ペンタエリスリトール及びグルコースからなる群から選ばれる化合物
（VI）水溶性多糖類、ムコ多糖類及びオリゴ糖からなる群から選ばれる化合物
（VII）融点が０℃以下の油脂
（VIII）ワセリン又は融点が４０〜９０℃のロウからなる群から選ばれる化合物
（IX）炭素数２〜２４の飽和又は不飽和脂肪酸
【請求項３】
（ａ）成分を、請求項１又は２記載の衣料用処理剤組成物で処理した衣料から放出させる方法。
【発明の詳細な説明】
【技術分野】
【０００１】
本発明は衣料用処理剤組成物に関する。
【背景技術】
【０００２】
皮膚や角質等の身体の最外層に位置する部分は、体内の成分や水分の損失、蒸散を防ぐ等の機能を恒常的に保つことが重要である。しかしながら、このような機能は、種々の内的要因あるいは外的刺激等により、その機能が低下し、皮膚に炎症を生じたり、肌荒れや皮膚の老化を助長したり、又、種々の皮膚疾患を引き起こす原因となる。また、近年アレルゲン等の刺激に対して非常に敏感に反応するアトピー性皮膚炎が増加する傾向にある。このため、皮膚や角質に常に接触する衣料にスキンケア効果を付与する研究が行われている。
【０００３】
特許文献１にはセラミド等の物質を含有する繊維処理剤が開示されている。特許文献２にはセリシンを含有する柔軟剤組成物が開示されている。特許文献３にはアスコルビン酸誘導体を含有する機能化繊維材料が開示されている。また、スキンケア効果を有する薬剤を繊維に吸着させる研究も行われている。特許文献４には自然保湿因子成分を衣類に固着させる繊維処理剤が開示されている。特許文献５にはスキンケア剤含有繊維の技術が開示されている。特許文献６には保湿剤と第４級アンモニウム塩を含有してなる繊維処理剤が開示されている。特許文献７にはヒアルロン酸等を繊維に固着させる技術が開示されている。しかしながら、保湿成分を繊維上に固着させる技術においては、繊維上に保湿成分が強固に保持されるため皮膚に対する効果が低いという問題があり、保湿成分を吸着させる技術においては、未だ十分な吸着量を得ることができず、満足できる効果を得ることができない。
【０００４】
一方、多糖類をアルキルポリオキシアルキレン基や陽イオン基で変成した化合物はすでに知られている。特許文献８にはアルキルグリセリルエーテル基を有する多糖類が開示されている。特許文献９、特許文献１０及び特許文献１１にはアルキルポリオキシアルキレン基や陽イオン基若しくはスルホアルキル基で変成した化合物が増粘剤として有効であることが開示されている。特許文献１２には（Ａ）炭素数１０〜４３のアルキル基等、（Ｂ）カルボキシメチル基、及び（Ｃ）炭素数１〜６のアルキレンアンモニウム基が置換した多糖誘導体が衣料用糊剤として有効であることが記載されている。しかしながら、これらは化粧品用途や、増粘剤もしくは分散剤として用いる技術であり、皮膚保湿成分の衣料への吸着を促進させる点や、それによって高いスキンケア効果を衣料に付与できる点について何ら示唆するものではない。さらに、特許文献１３にはトイレタリー製品に有効な増粘剤が開示されている。また、該特許文献にはステロール類やセラミド類等の油性成分が配合可能であることが記載されている。しかしながら、特定の比率の多糖成分と皮膚保湿剤を含有する組成物が衣料への吸着性を向上させる点、及びそれによって高いスキンケア効果を衣料に付与できることについて何ら示唆されていない。
【特許文献１】特開２００１−１４６６８０号公報
【特許文献２】特開２００１−１９２９７０号公報
【特許文献３】特開２００２−６１０７３号公報
【特許文献４】特開２００１−２００４７８号公報
【特許文献５】特開２００２−１４６６７４号公報
【特許文献６】特開２００２−６９８４８号公報
【特許文献７】特開平９−１５８０４６号公報
【特許文献８】特開平９−１１０９０１号公報
【特許文献９】特開平１０−２９２００１号公報
【特許文献１０】特開平１０−３３０４０１号公報
【特許文献１１】特開平１１−１０６４０１号公報
【特許文献１２】特開２０００−１７８３０３号公報
【特許文献１３】国際公開第００／７３３５１号パンフレット
【発明の開示】
【発明が解決しようとする課題】
【０００５】
本発明の課題は、皮膚保湿成分の衣料への吸着性を促進させ、それによって高いスキンケア効果を衣料に付与できる衣料用処理剤組成物を提供することにある。
【課題を解決するための手段】
【０００６】
本発明は、（ａ）皮膚保湿成分と、（ｂ）多糖類のヒドロキシ基の水素原子の一部又は全てが、一般式（ｂ１）
−Ｒ1−（ＯＡ）a−Ｂ−Ｒ2        （ｂ１）
［式中、Ｒ1はヒドロキシ基又はオキソ基で置換されていてもよい炭素数１〜６の直鎖若しくは分岐鎖の２価の飽和炭化水素基を示し、Ａはヒドロキシ基又はオキソ基で置換されていてもよい炭素数１〜６の直鎖若しくは分岐鎖の２価の飽和炭化水素基を示し、ａは８〜３００の数を示し、ａ個のＡは同一又は異なっていてもよい。Ｂは−Ｏ−、−ＣＯＯ−又は−ＯＣＯ−から選ばれる基を示し、Ｒ2はヒドロキシ基で置換されていてもよい炭素数４〜３０の直鎖又は分岐鎖の炭化水素基を示す。］
で表される基（以下基（ｂ１）という）で置換されている多糖誘導体（基（ｂ１）中のヒドロキシ基の水素原子は更に基（ｂ１）で置換されていてもよい）とを、（ａ）成分／（ｂ）成分＝１／１００〜９／１の質量比で含有する衣料用処理剤組成物、並びに（ａ）成分を、この衣料用処理剤組成物で処理した衣料から放出させる方法を提供する。
【発明の効果】
【０００７】
本発明の衣料用処理剤組成物は、衣料に皮膚保湿成分を吸着させ、優れたスキンケア効果を衣料に付与することができる。
【発明を実施するための最良の形態】
【０００８】
［（ａ）成分］
本発明の（ａ）成分は、皮膚保湿成分である。ここで、皮膚保湿成分は、「新しい化粧品素材の効能・効果・作用（上）」、株式会社シーエムシー、１９９８年第一刷発行、２０７頁〜３３０頁に記載の化合物から選択することができる。本発明における皮膚保湿成分として、好ましくは分子量１００〜３０００、より好ましくは５００〜１５００のアミノ基含有皮膚保湿成分、好ましくは分子量１００〜３０００、より好ましくは２００〜１５００の非イオン性皮膚保湿成分、好ましくは分子量５０〜１０００万、より好ましくは５万〜５００万の糖系高分子化合物が挙げられる。より具体的には下記（Ｉ）〜（IX）群から選ばれる化合物が保湿効果の点から好適である。
（Ｉ）一般式（ａ１）で表されるアミン化合物
【０００９】
【化３】
2005082915.tif 000002
【００１０】
〔式中、Ｒ3及びＲ4は同一又は異なって、水素原子、又はヒドロキシ基で置換されていてもよい炭素数１〜２０の炭化水素基であり、少なくとも一方には、窒素原子に対してβ位にヒドロキシ基が置換されている。Ｄは−Ｏ−又は−ＯＣＯ−から選ばれる基であり、Ｒ5はヘテロ原子を含んでいてもよい炭素数１〜４０の炭化水素基である。〕
（II）一般式（ａ２）で表されるアミド化合物
【００１１】
【化４】
2005082915.tif 000003
【００１２】
〔式中、Ｒ6及びＲ8は同一又は異なって、ヒドロキシ基で置換されていても良い炭素数１〜４０の炭化水素基であり、少なくとも一方はヒドロキシ基で置換されていても良い炭素数１２〜４０の炭化水素基である。Ｒ7はヒドロキシ基又はアルキルオキシ基で置換されていても良い炭素数１〜５の炭化水素基である。Ｅは−Ｏ−又は−ＯＣＯ−から選ばれる基であり、ｂは０又は１の数である。〕
（III）セラミド類から選ばれる化合物
（IV）イソステアリル基、イソステアロイル基、オレイル基、オレオイル基及びコレステリル基から選ばれる１種以上の基と、エーテル基、エステル基、アミド基、ヒドロキシ基及びカルボキシル基から選ばれる１種以上の基を有する化合物
（Ｖ）（IV）の化合物以外のステロール類、トレハロース、セラキルアルコール、エリトリトール、ペンタエリスリトール及びグルコースからなる群から選ばれる化合物
（VI）水溶性多糖類、ムコ多糖類及びオリゴ糖からなる群から選ばれる化合物
（VII）融点が０℃以下の油脂
（VIII）ワセリン又は融点が４０〜９０℃のロウからなる群から選ばれる化合物
（IX）炭素数２〜２４の飽和又は不飽和脂肪酸
（Ｉ）群の化合物において、より具体的には一般式（ａ１−１）で表される化合物及び一般式（ａ１−２）で表される化合物が好適である。
【００１３】
【化５】
2005082915.tif 000004
【００１４】
〔式中、Ｒ3aは、水素原子、又はヒドロキシ基で置換されていてもよい炭素数１〜１０の炭化水素基、Ｒ5aは、環構造を有していてもよく、かつヘテロ原子を含んでいてもよい炭素数６〜４０の炭化水素基を示す。〕
【００１５】
【化６】
2005082915.tif 000005
【００１６】
〔式中、Ｒ3bは、水素原子、又はヒドロキシ基で置換されていてもよい炭素数１〜１０の炭化水素基、Ｒ5bは、環構造を有していてもよく、かつヘテロ原子を含んでいてもよい炭素数６〜４０の炭化水素基を示す。〕
一般式（ａ１−１）及び（ａ１−２）において、Ｒ3a及びＲ3bとしては、メチル、エチル、ブチル、ヘキシル、フェニル、ベンジル、ヒドロキシメチル、ヒドロキシエチル、１，２−ジヒドロキシエチル、１，２，３−トリヒドロキシプロピル、１，２，３，４−テトラヒドロキシブチル、１，２，３，４，５−ペンタヒドロキシペンチル、２，３−ジヒドロキシプロピル−２，３，４−トリヒドロキシブチル、２，３，４，５−テトラヒドロキシペンチル、２，３，４，５，６−ペンタヒドロキシヘキシルから選ばれる炭化水素基が好適である。
【００１７】
また、Ｒ5a及びＲ5bとしては、ヘキシル、オクチル、ノニル、デシル、ドデシル、テトラデシル、ペンタデシル、ヘキサデシル、オクタデシル、ドコシル、ドトリアコンチル、エイコシル、メチル分岐イソステアリル、メチル分岐イソパルミチル、２−エチルヘキシル、７−ヘキサデセニル、２−ヘプチルウンデシル、５，７，７−トリメチル−２−オクタデセニル、９，１２−オクタデカジエニル、４，８，１２−トリメチルトリデシル、４−メチル−３−ペンテニル、シクロヘキシル、フェニル、トコフェリル、ベンジル、コレステリル、１２−ヒドロキシオクタデシル、１２−ヒドロキシドデシル、９−ヒドロキシノニル、９，１０−ジヒドロキシオクタデシル、４−ドデシロキシフェニル、４−（９−ヒドロキシノニルオキシ）フェニル、９−（４−ブトキシフェニルオキシ）ノニル、４−（ドデシルアミノカルボニル）フェニル、１１−（シクロヘキサンカルボニルアミノ）−ウンデシル、１１−（フェニルジメチルシリル）ウンデシル、９，１０−（イソプロピリデンジオキシ）オクタデシル、１２−ヒドロキシ−９−オクタデセニル、１２−メトキシオクタデシル、１０−（２−エチルヘキシルオキシ）デシル、１１−カルボキシウンデシル、１１−ブトキシカルボニルウンデシル、１１−（２−エチルヘキサノイルアミノ）ウンデシル、１１−（ブチルジメチルシリル）ウンデシル、トコフェリル、９，１０−（イソプロピリデンジオキシ）オクタデシルから選ばれる基が好適である。
【００１８】
なお、（Ｉ）群の化合物は、特開平６−２７１４４３号公報、特開平６−２７１４４４号公報、特開平６−２７１４４９号公報、特開平６−２７１４５０号公報等に記載の方法により製造することができる。
【００１９】
（II）群の化合物において、一般式（ａ２）中、Ｒ6及びＲ8としては、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、ヘンエイコシル、ドコシル、ノナコシル、トリアコンチル、イソステアリル、イソヘプタデシル、２−エチルヘキシル、１−エチルヘプチル、８−ヘプタデシル、８−ヘプタデセニル、８，１１−ヘプタデカジエニル、２−ヘプチルウンデシル、９−オクタデセニル、１−ヒドロキシノニル、１−ヒドロキシペンタデシル、２−ヒドロキシペンタデシル、１５−ヒドロキシペンタデシル、１１−ヒドロキシヘプタデシル及び１１−ヒドロキシ−８−ヘプタデセニル等が挙げられる。
【００２０】
Ｒ6としては、ヒドロキシ基で置換されていても良い炭素数９〜２５の直鎖又は分岐鎖のアルキル若しくはアルケニル基が好ましく、例えばノニル、ウンデシル、トリデシル、テトラデシル、ペンタデシル、ヘプタデシル、ヘンエイコシル、ノナコシル、イソヘプタデシル、１−エチルヘプチル、８−ヘプタデシル、８−ヘプタデセニル、８，１１−ヘプタデカジエニル、１−ヒドロキシノニル、１−ヒドロキシペンタデシル、２−ヒドロキシペンタデシル、１５−ヒドロキシペンタデシル、１１−ヒドロキシヘプタデシル及び１１−ヒドロキシ−８−ヘプタデセニルが好適である。Ｒ6として特に好ましい炭化水素基は炭素数１１〜２１の直鎖及び分岐鎖のアルキル基であり、例えばウンデシル、トリデシル、テトラデシル、ペンタデシル、ヘプタデシル、ヘンエイコシル及びメチル分岐イソヘプタデシル基である。
【００２１】
Ｒ8としては、炭素数８〜２６の直鎖又は分岐鎖のアルキル若しくはアルケニル基が好ましく、具体的にはオクチル、デシル、ドデシル、テトラデシル、ヘキサデシル、オクタデシル、ドコシル、トリアコンチル、イソステアリル、２−エチルヘキシル、２−ヘプチルウンデシル及び９−オクタデセニルが好適である。
【００２２】
Ｒ7は、ヒドロキシ基又はアルキルオキシ基で置換されていても良い炭素数１〜５の炭化水素基であり、好ましくはヒドロキシエチル基、ヒドロキシプロピル基、メトキシプロピル基、メトキシエチル基、エトキシプロピル基、エトキシエチル基である。
【００２３】
Ｅは−Ｏ−又は−ＯＣＯ−から選ばれる基であり、−Ｏ−が好ましい。ｂは０又は１の数である。
【００２４】
なお、（II）群の化合物は、特開平８−３１９２６３号公報、特開平８−３１９２３３号公報、特開平９−１１０６６７号公報等に記載の方法により製造することができる。
【００２５】
（III）群の化合物は天然セラミド及び／又は合成セラミドであり、具体的には下記１３種類の化合物を挙げることができる。
【００２６】
セラミド１：C17H31COOC29H58CONHCH(CH2OH)CH(OH)C15H29
セラミド２：C23H47CONHCH(CH2OH)CH(OH)C15H29
セラミド３：C23H47CONHCH(CH2OH)CH(OH)CH(OH)C14H29
セラミド４：C24H49CH(OH)CONHCH(CH2OH)CH(OH)C15H29
セラミド５：C22H45CH(OH)CONHCH(CH2OH)CH(OH)C15H29
セラミド６：C22H45CH(OH)CONHCH(CH2OH)CH(OH)CH(OH)C14H29
セラミド７：HOC2H4OCH2NHCO(CH2)6CH(CH3)C3H6CH(CH3)(CH2)6CONHCH2OC2H4OH
セラミド８：HOC2H4OCH2NHCO(CH2)18CONHCH2OC2H4OH
セラミド９：CH3OC3H6NHCO(CH2)6CH(CH3)C3H6CH(CH3)(CH2)6CONHC3H6OCH3
セラミド１０：CH3OC3H6NHCO(CH2)18CONHC3H6OCH3
セラミド１１：CH3OC3H6NHCO(CH2)8CONHC3H6OCH3
セラミド１２：CH3(CH2)11OC3H6NHCO(CH2)8CONHC3H6O(CH2)11CH3
セラミド１３：CH3CH2CH2CH2CH(C2H5)CH2NHCO(CH2)8CONHCH2CH(C2H5)CH2CH2CH2CH3
（IV）群の化合物としては、一般式（ａ３）で表される化合物及び一般式（ａ４）で表される化合物から選ばれる１種以上が好適である。
【００２７】
（Ｒ9）c−Ｇ              （ａ３）
Ｒ9−Ｉ−Ｒ9          （ａ４）
〔式中、Ｒ9はイソステアリル基、イソステアロイル基、オレイル基、オレオイル基及びコレステリル基から選ばれる基であり、Ｇはヒドロキシ基又はカルボキシル基を２〜５個有する総炭素数２〜１０の化合物Ｇ’からエステル結合でＲ9と結合しているヒドロキシ基及び／又はカルボキシル基を除いた基である。ｃは１〜３の数である。Ｉは−Ｏ−及び−Ｎ（Ｒ10）−から選ばれる基であり、Ｒ10は水素原子、又は炭素数１〜３のアルキル基もしくはヒドロキシアルキル基である。なお、分子中に複数個のＲ9が存在する場合には、複数個のＲ9は同一でも異なっていてもよい。〕
化合物Ｇ’として、好ましくはエチレングリコール、プロピレングリコール、ジエチレングリコール、トリエチレングリコール、ジプロピレングリコール、グリセリン、ポリグリセリン（平均重合度１〜３）、ペンタエリスリトール、ジペンタエリスリトール、グルコース、メチルグルコシド、サッカロース、キシリトール、ソルビトール、マンイトール、ソルビタンから選ばれる多価ヒドロキシ化合物、あるいはコハク酸、マレイン酸、フマル酸、アジピン酸、酒石酸（多価ヒドロキシ化合物として扱ってもよい）、クエン酸から選ばれる多価カルボン酸が挙げられる。
【００２８】
一般式（ａ３）で表される化合物は、式  Ｒ9−Ｊ1
（ここで、Ｊ1はＲ9がイソステアロイル基又はオレオイル基の場合にはＯＨ、ＯＲ11、−Ｊ2であり、Ｒ9がイソステアリル基、オレイル基又はコレステリル基の場合にはＯＨである。Ｒ11はメチル基又はエチル基であり、Ｊ2はハロゲン原子である。）
で表される化合物と化合物Ｇ’との縮合反応により得ることができる。また、式Ｒ9−Ｊ1で表される化合物は、化合物Ｇ’とエチレンオキシド、プロピレンオキシド、エピクロルヒドリン、グリシドールから選ばれる化合物に由来する基を介して結合してもよい。この場合において、これらの付加モル数は１〜１０、好ましくは１〜５である。
【００２９】
一般式（ａ３）で表される最も好ましい化合物は、イソステアリルグリセリルエーテル、コレステリルグリセリルエーテル、オレイルグリセリルエーテル、ペンタエリスリトールイソステアリルグリセリルエーテル、オレイルモノクエン酸エステル、コレステリルモノコハク酸エステル、コレステリルジコハク酸エステル、イソステアリルモノコハク酸エステル、イソステアリン酸モノ、ジ、トリグリセライド、オレイン酸モノ、ジ、トリグリセライド、オレイン酸ポリグリセリンエステル（平均重合度１〜１０）、オレイン酸ソルビタンエステルから選ばれる１種以上であり、ペンタエリスリトールイソステアリルグリセリルエーテル、コレステリルモノコハク酸エステル、及びオレイン酸ポリグリセリンエステル（平均重合度１〜１０）、オレイン酸ソルビタンエステルが最も好ましい。
【００３０】
一般式（ａ４）で表される化合物の好ましい具体例としては、イソステアリン酸イソステアリル、イソステアリン酸コレステリル、イソステアリン酸オレイル、イソステアリン酸イソステアリルアミドであり、特にイソステアリン酸コレステリルが最も好ましい。
【００３１】
（Ｖ）群の化合物としては、（IV）群の化合物以外のステロール類が好ましく、具体的にはコレステロール、カンベステロール、ステグマスタノール、ステグマステロール、パリステロール、クリオナステロール、γ−シトステロール、ステグマステノール、サルガステロール、アペネステロール、エスゴスタノール、シトステロール、コルビステロール、コンドリラステロール、ポリフェラステロール、ハリクロナステロール、ネオスボンゴステロール、フコステロール、アプトスタノール、エルゴスタジエノール、エルゴステロール、２２−ジヒドロエルゴステロール、ブラシカステロール、２４−メチレンコレステロール、５−ジヒドロエルゴステロール、デヒドロエルゴステロール、フンギステロール、コレスタノール、コプロスタノール、ジモステロール、７−ヘトコレステロール、ラトステロール、２２−デヒドロコレステロール、β−シトステロール、コレスタトリエン−３β−オール、コプロスタノール、コレスタノール、７−デヒドロコレステロール、２４−デヒドリコレスタジオン−３β−オール、エキレニン、エキリン、エストロン、１７β−エストラジオール、アンドロスト−４−エン−３β−１７β−ジオール、デヒドロエビアンドステロン等を挙げることができ、特にコレステロールが好ましい。
【００３２】
（VI）群の化合物において、水溶性多糖類としては、Ｌ−フコース、Ｄ−ガラクトース、Ｄ−ガラクツロン酸、Ｄ−グルクロン酸、Ｌ−ラムノース、Ｄ−リボース、Ｄ−リブロン酸等を挙げることができる。ムコ多糖類としては、ヒアルロン酸、コンドロイチン硫酸、デルマタン硫酸、ケラタン硫酸、ヘパラン硫酸、ヘパリン、キチン、キトサン等を挙げることができる。オリゴ糖としてはマルトース、キシロビオース、イソマントース、ラクトース、スクロース、ラフィノース、マルトトリオース、キシロトリオース、マルトテトラオース、キシロテトラオース、マルトペンタオース、キシロペンタオース、マルトヘキサオース、キシロヘキサオース、マルトヘプタオース、キシロヘプタオース等を挙げることができる。本発明において（VI）群の化合物としてはヒアルロン酸が最も好ましい。
【００３３】
（VII）群の化合物としては、「油脂化学便覧」（丸善（株）発行改訂３版（平成４年１月１５日発行）日本油化学協会編集）、９９頁〜１０２頁に記載の油脂を用いることができ、本発明では特にヨウ素価が５０〜１１０（Ｉｇ／１００ｇ）の化合物が好適である。具体的には菜種油、ひまわり油、ツバキ油、オリーブ油、紅花油、ゴマ油、大豆油、コーンオイル、グレープシードオイル、月見草油、亜麻仁油、しそ油、ボリジ油、ブラックカラント油から選ばれる植物油脂が好適である。
【００３４】
（VIII）群の化合物としては「油脂化学便覧」（丸善（株）発行改訂３版（平成４年１月１５日発行）日本油化学協会編集）、１０４頁表２・４に記載のロウ化合物およびワセリンが好適であり、特に保湿効果の点からワセリンが好ましい。
【００３５】
（IX）群の化合物としては、炭素数８〜２４の直鎖又は分岐鎖の脂肪酸が好ましく、炭素数１４〜２２の脂肪酸が特に好ましい。特にγ−リノレン酸、イソステアリン酸、ヘキサデセン酸、オレイン酸が好ましい。
【００３６】
本発明の（ａ）成分としては、特に（Ｉ）、（II）、（III）、（IV）、（VIII）、（IX）群から選ばれる化合物が好適であり、（Ｉ）、（II）、（III）、（VIII）、（IX）群から選ばれる化合物が最も好ましい。
【００３７】
［（ｂ）成分］
本発明の（ｂ）成分は多糖類のヒドロキシ基の水素原子の一部又は全てが、基（ｂ１）で置換されている多糖誘導体である。尚、基（ｂ１）中のヒドロキシ基の水素原子は更に基（ｂ１）で置換されていてもよい。
【００３８】
本発明の（ｂ）成分は、多糖類としてセルロース類を用いた場合を例に挙げれば、その繰返し単位は、一般式（１）で表される。
【００３９】
【化７】
2005082915.tif 000006
【００４０】
〔式中、Ｒ12，Ｒ13及びＲ14は同一又は異なって、（ｉ）：水素原子、メチル基、エチル基、ヒドロキシエチル基、ヒドロキシプロピル基等、（ii）：ポリオキシアルキレン基を含む基、（iii）：ヒドロキシ基で置換されていてもよいスルホアルキル基、（iv）：ヒドロキシ基で置換されていてもよいカルボキシアルキル基、（ｖ）：ヒドロキシ基で置換されていてもよいカチオン性基から選ばれる基を示し、Ｑ1，Ｑ2及びＱ3は同一又は異なって、炭素数２〜４のアルキレン基を示し、ｄ，ｅ及びｆは、同一又は異なって０〜１０の数を示す。Ｑ1Ｏ基、Ｑ2Ｏ基、Ｑ3Ｏ基、Ｒ12、Ｒ13、Ｒ14、ｄ、ｅ及びｆは、繰り返し単位内で又は繰り返し単位間で同一でも異なってもよく、また上記置換基（ii）〜（ｖ）中のヒドロキシ基は更に他の置換基（ii）〜（ｖ）で置換されていてもよい。但し、多糖類のヒドロキシ基の水素原子の少なくとも１つが基（ｂ１）で置換されるように、Ｒ12，Ｒ13及びＲ14は上記基から選択される。〕
基（ｂ１）におけるＡとしては、炭素数２又は３のものが好ましく、具体的にはエチレン、プロピレン、トリメチレン、２−ヒドロキシトリメチレン、１−ヒドロキシメチルエチレン、１−オキソエチレン、１−オキソトリメチレン、１−メチル−２−オキソエチレン等が挙げられ、エチレン、プロピレン又はトリメチレンが好ましい。ａで表される（−ＯＡ−）の平均付加モル数は、皮膚保湿成分の吸着性の点から８〜１２０、特に１０〜６０が好ましく、ａ個のＡは同一でも異なってもよい。Ｂはエーテル結合（−Ｏ−）又はオキシカルボニル基（−ＣＯＯ−又は−ＯＣＯ−）であるが、エーテル結合が好ましい。
【００４１】
基（ｂ１）におけるＲ2としては、炭素数５〜２５、特に６〜２０の直鎖又は分岐鎖の炭化水素基が好ましく、また、安定性の点から、アルキル基、特に直鎖アルキル基が好ましい。具体的にはオクチル基、デシル基、ドデシル基、テトラデシル基、ヘキサデシル基、オクタデシル基、イソステアリル基等が好ましい。
【００４２】
本発明の（ｂ）成分における、基（ｂ１）による置換度は、構成単糖残基当たり０．０００１〜１．０、更に０．０００５〜０．５、特に０．００１〜０．１の範囲が好ましい。
【００４３】
本発明の（ｂ）成分は、多糖類のヒドロキシ基の水素原子が基（ｂ１）に加え、更に以下に示す基（ｂ２）、（ｂ３）及び（ｂ４）から選ばれる１以上の基で置換されていてもよい。また、基（ｂ１）〜（ｂ４）中のヒドロキシ基の水素原子は、更に基（ｂ１）〜（ｂ４）で置換されていてもよい。
【００４４】
基（ｂ２）：ヒドロキシ基で置換されていてもよい炭素数１〜５のスルホアルキル基又はその塩
基（ｂ２）としては、２−スルホエチル基、３−スルホプロピル基、３−スルホ−２−ヒドロキシプロピル基、２−スルホ−１−（ヒドロキシメチル）エチル基等が挙げられ、なかでも安定面や製造面より３−スルホ−２−ヒドロキシプロピル基が好ましい。これら基（ｂ２）は、その全てあるいは一部がＮａ，Ｋ，Ｃａ，Ｍｇ等の１族又は２族元素、アミン類、アンモニウム等の有機カチオン等との塩となっていてもよい。これら基（ｂ２）による置換度は、構成単糖残基当たり０〜１．０、更に０〜０．８、特に０〜０．５の範囲が好ましい、
基（ｂ３）：ヒドロキシ基で置換されていてもよい炭素数２〜６のカルボキシアルキル基又はその塩
基（ｂ３）としては、カルボキシメチル基、カルボキシエチル基、カルボキシプロピル基、カルボキシブチル基、カルボキシペンチル基等が挙げられ、なかでも安定面や製造面より、カルボキシメチル基が好ましい。これら基（ｂ３）は、その全てあるいは一部がＮａ，Ｋ，Ｃａ，Ｍｇ等の１族又は２族元素、アミン、アンモニウム等の有機カチオン等との塩となっていてもよい。これら基（ｂ３）による置換度は、構成単糖残基当たり０〜１．０、更に０〜０．８、特に０〜０．５の範囲が好ましい。
【００４５】
基（ｂ４）：一般式
【００４６】
【化８】
2005082915.tif 000007
【００４７】
〔式中、Ｒ15はヒドロキシ基で置換されていてもよい炭素数１〜６の直鎖若しくは分岐鎖の２価の飽和炭化水素基を示し、Ｒ16、Ｒ17及びＲ18は同一又は異なって、ヒドロキシ基で置換されていてもよい炭素数１〜３の直鎖又は分岐鎖のアルキル基を示し、Ｘ-はヒドロキシイオン、ハロゲンイオン又は有機酸イオンを示す。〕
で表されるカチオン性基
基（ｂ４）におけるＲ15としては、炭素数２又は３のものが好ましく、具体的にはエチレン、プロピレン、トリメチレン、２−ヒドロキシトリメチレン、１−ヒドロキシメチルエチレン等が好ましい。
【００４８】
基（ｂ４）におけるＲ16、Ｒ17及びＲ18としては、メチル基、エチル基、プロピル基、２−ヒドロキシエチル基等が挙げられ、中でもメチル基及びエチル基が好ましい。
【００４９】
基（ｂ４）におけるＸ-で表されるハロゲンイオンとしては塩素イオン、臭素イオン、ヨウ素イオン等が、有機酸イオンとしては、ＣＨ3ＣＯＯ-、ＣＨ3ＣＨ2ＣＯＯ-、ＣＨ3（ＣＨ2）2ＣＯＯ-等が挙げられる。Ｘ-としては、ヒドロキシイオン、塩素イオン及び臭素イオンが好ましい。
【００５０】
これら基（ｂ４）による置換度は、構成単糖残基当たり０〜０．５、特に０〜０．３の範囲が好ましい。
【００５１】
本発明の（ｂ）成分は、例えば多糖類を、一般式（ｂ１−１）
Ｒ19−（ＯＡ）a−Ｂ−Ｒ2          （ｂ１−１）
〔式中、Ｒ19は炭素数３〜６のエポキシ化アルキル基、ヒドロキシ基で置換されていてもよい炭素数１〜６の直鎖若しくは分岐鎖のハロゲン化アルキル基、又はカルボキシ基若しくは炭素数２〜６のカルボキシアルキル基若しくはそれらの誘導体を示し、ａ，Ａ，Ｂ及びＲ2は前記と同じ意味を示す。〕
で表される構造を有するポリオキシアルキレン化剤と反応させることにより、又は更に以下の（ｂ２−１）、（ｂ３−１）及び（ｂ４−１）から選ばれる１以上の化合物と反応させることにより、製造することができる。
（ｂ２−１）：ビニルスルホン酸、ヒドロキシ基で置換されていてもよい炭素数１〜５のハロアルカンスルホン酸、炭素数２〜６のエポキシ基を有するスルホン酸及びそれらの塩から選ばれるスルホン化剤
（ｂ３−１）：ヒドロキシ基で置換されていてもよい炭素数２〜６のハロゲン化カルボン酸及びその塩から選ばれるカルボキシ化剤
（ｂ４−１）：一般式
【００５２】
【化９】
2005082915.tif 000008
【００５３】
〔式中、Ｒ20は炭素数３〜６のエポキシ化アルキル基、又はヒドロキシ基で置換されていてもよい炭素数１〜６の直鎖若しくは分岐鎖のハロゲン化アルキル基を示し、Ｒ16、Ｒ17、Ｒ18及びＸ-は前記と同じ意味を示す。〕
で表される構造を有するカチオン化剤
すなわち、本発明の（ｂ）成分は、一般式（ｂ１−１）で表される構造を有するポリオキシアルキレン化剤との反応以外に、任意に多糖類のヒドロキシ基の水素原子を全てポリオキシアルキレン化〔基（ｂ１）の導入〕することにより、又は当該水素原子を部分的にポリオキシアルキレン化〔基（ｂ１）の導入〕し、必要に応じてスルホン化〔基（ｂ２）の導入〕、カルボキシ化〔基（ｂ３）の導入〕及びカチオン化〔基（ｂ４）の導入〕することにより得られる。これらポリオキシアルキレン化反応、スルホン化反応、カルボキシ化反応及びカチオン化反応はどの順序で行ってもよく、また２〜４の反応を同時に行うこともできるが、ポリオキシアルキレン化反応、カチオン化反応、カルボキシ化反応、スルホン化反応の順で反応を行うのが好ましい。
【００５４】
（ｂ）成分の製造に用いられる多糖類としては、セルロース、グァーガム、スターチ、ブルラン、デキストラン、フルクタン、マンナン、寒天、カラギーナン、キチン、キトサン、ペクチン、アルギン酸、ヒアルロン酸等の多糖：これらにメチル基、エチル基、ヒドロキシエチル基、ヒドロキシプロピル基等が置換した誘導体が挙げられる。これらの置換基は、構成単糖残基中に単独で又は複数の組合せで置換することができ、これら多糖の誘導体の例としては、ヒドロキシエチルセルロース、ヒドロキシエチルエチルセルロース、ヒドロキシエチルグァーガム、ヒドロキシエチルスターチ、メチルセルロース、メチルグァーガム、メテルスターチ、エチルセルロース、エチルグァーガム、エチルスターチ、ヒドロキシプロピルセルロース、ヒドロキシプロピルグァーガム、ヒドロキシプロピルスターチ、ヒドロキシエチルメチルセルロース、ヒドロキシエチルメチルグァーガム、ヒドロキシエチルメチルスターチ、ヒドロキシプロピルメチルセルロース、ヒドロキシプロピルメチルグァーガム、ヒドロキシプロピルメチルスターチ等が挙げられる。これら多糖類のうち、セルロース、スターチ、ヒドロキシエチルセルロース、メチルセルロース、エチルセルロース、ヒドロキシプロピルセルロースが好ましく、特にヒドロキシエチルセルロースが好ましい。また、上記多糖の誘導体の置換基は、ヒドロキシエチル基やヒドロキシプロピル基のヒドロキシ基に更に置換して、例えばポリオキシエチレン鎖等を形成することで、構成単糖残基当たり３．０を超える置換度も可能であり、その構成単糖残基当たりの置換度は０．１〜１０．０、特に０．５〜５．０が好ましい。また、これら多糖類の重量平均分子量は、１万〜１０００万、１０万〜５００万、特に３０万〜２００万の範囲が好ましい。
【００５５】
なお、本発明の（ｂ）成分は、国際公開第００／７３３５１号パンフレットに記載の方法で製造することができる。
【００５６】
［衣料用処理剤組成物］
本発明の衣料用処理剤組成物は、該組成物を使用する方法によって任意の形態を採用することができる。具体的には、(1)対象衣料を該組成物に浸漬させた後、脱水／乾燥を行う方法（以下、方法１という）、(2)該組成物を噴霧装置を具備する容器に充填し、対象衣料に直接噴霧した後、乾燥するか又はアイロンがけをする方法（以下、方法２という）、(3)該組成物を不織布等の可撓性吸収体に担持させた物品を対象衣料と共に回転式加熱乾燥装置に入れて加熱処理を行う方法（以下、方法３という）等を挙げることができる。
【００５７】
方法１において、浸漬とは対象衣料が本発明の組成物に完全に浸される状態をいう。このような方法に供させる組成物としては、（ａ）成分及び（ｂ）成分を水に溶解又は分散させた水溶液の形態が好ましく、（ａ）成分の含有量は、好ましくは０．０１〜５０質量％、より好ましく５．０〜４０質量％、特に好ましくは１０〜３０質量％、最も好ましくは１０〜２５質量％であり、（ｂ）成分の含有量は、好ましくは０．０１〜２０．０質量％、より好ましく０．０１〜１０．０質量％、特に好ましくは０．１〜５．０質量％であり、水の含有量は好ましくは４０〜９９質量％、より好ましく５０〜９５質量％、特に好ましくは６５〜９０質量％である。また（ａ）成分の吸着を効率的に行わせる目的から、（ａ）成分／（ｂ）成分の質量比は、好ましくは１／５０〜９／１、より好ましくは１／１０〜９／１、特に好ましくは１／３〜８／１、最も好ましくは１／１〜８／１である。本発明の組成物のｐＨは貯蔵安定性の点から、好ましくは２．０〜９．０、より好ましくは２．０〜７．０であり、このようなｐＨに調整する方法としては通常の硫酸、塩酸、リン酸、クエン酸、コハク酸等の酸と、水酸化ナトリウム、水酸化カリウム、炭酸ナトリウム、炭酸カリウム等のアルカリ剤を用いることができる。
【００５８】
水溶液の形態の場合、（ａ）成分は水不溶性の化合物が多いため、（ａ）成分を分散、可溶化、又は乳化させる目的、及び貯蔵安定性の点から本発明の効果を損なわない程度に界面活性剤を併用することが好ましい。
【００５９】
方法１に用いることができる界面活性剤（以下（ｃ）成分という）としては、アルキル基の炭素数８〜１５のアルキルベンゼンスルホン酸塩、アルキル基の炭素数８〜３６のアルキル硫酸エステル塩、オキシエチレン基の平均付加モル数が１〜４、アルキル基の炭素数８〜３６のポリオキシエチレンアルキルエーテル硫酸エステル塩、炭素数１２〜２２のアルキル基を有するアルキルエーテルカルボン酸塩、炭素数１２〜２２のアルキル基を有するアルキルエーテルリン酸塩から選ばれる陰イオン界面活性剤、オキシアルキレン基の平均付加モル数が４〜２０、アルキル基の炭素数が８〜１８のポリオキシエチレン（及び／又はポリオキシプロピレン）アルキルエーテル型非イオン界面活性剤、アルキル基の炭素数が８〜１６、平均縮合度が１〜５のアルキルポリグルコシド、炭素数１０〜１６の脂肪酸ソルビタンエステルから選ばれる非イオン界面活性剤、エステル基又はアミド基で分断されていてもよい炭素数が１２〜２２のアルキル基を１つ又は２つ有する４級アンモニウム型陽イオン界面活性剤、炭素数１０〜１８のアルキル基を有するスルホベタイン型又はカルボベタイン型両性界面活性剤を挙げることができる。
【００６０】
方法１に供される本発明の組成物では貯蔵安定性の点から陽イオン界面活性剤、非イオン界面活性剤が好ましく、特に一般式（ｃ１）又は一般式（ｃ２）で表される陽イオン界面活性剤、及び一般式（ｃ３）で表される非イオン界面活性剤から選ばれる化合物が好適である。
【００６１】
【化１０】
2005082915.tif 000009
【００６２】
［式中、Ｒ22及びＲ24はそれぞれ独立に、炭素数１０〜２２、好ましくは１４〜２０のアルキル基又はアルケニル基を示し、Ｋ及びＬはそれぞれ独立に、−ＣＯＯ−、−ＣＯＮＲ28−、−ＯＣＯ−又は−ＮＲ28ＣＯ−である。ここでＲ28は水素原子、炭素数１〜３のアルキル基又はヒドロキシアルキル基、好ましくは水素原子を示す。また、Ｒ23及びＲ25はそれぞれ独立に、炭素数１〜５、好ましくは１〜３のアルキレン基であり、Ｒ26は炭素数１〜３のアルキル基又はヒドロキシアルキル基、もしくはＲ22−Ｋ−Ｒ23−である。Ｒ27は炭素数１〜３のアルキル基又はヒドロキシアルキル基である。ｍ及びｎはそれぞれ独立に、０又は１の数、好ましくは１の数である。Ｚ-は、無機又は有機の陰イオンであり、好ましくはハロゲンイオン、硫酸イオン、炭素数１〜３のアルキル硫酸エステルイオン、炭素数１〜１２の脂肪酸イオンである。］
Ｒ29−Ｍ−［（Ｒ30Ｏ）p−Ｈ］q      （ｃ３）
［式中、Ｒ29は、炭素数１０〜１８、好ましくは１２〜１８のアルキル基又はアルケニル基であり、Ｒ30は炭素数２又は３のアルキレン基であり、好ましくはエチレン基である。また、ｐは２〜６０、好ましくは５〜４０、特に好ましくは２０〜４０の数である。ＭはＯ又は−ＣＯＮ−であり、ＭがＯの場合はｑは１であり、Ｍが−ＣＯＮ−の場合はｑは２である。］
方法１に供される本発明の組成物中の（ｃ）成分の含有量は、好ましくは０．０１〜５０質量％、より好ましくは０．１〜２０質量％、特に好ましくは０．５〜１０質量％である。
【００６３】
方法１に供される本発明の組成物には貯蔵安定性改善する目的、及び（ａ）成分を組成物中に安定に溶解、分散もしくは可溶化させる目的から、水溶性の有機溶剤（以下（ｄ）成分という）を用いることが好ましい。具体的に好ましい有機溶剤としてはエタノール、プロパノール、イソプロパノール、エチレングリコール、プロピレングリコール、グリセリン、１，３−ブタンジオールが好適であり、特にグリセリン、エチレングリコール、プロピレングリコール、１，３−ブタンジオールが好ましい。このような有機溶剤は本発明の組成物中に好ましくは０．１〜４０質量％、より好ましくは１〜２０質量％、特に好ましくは５〜２０質量％である。
【００６４】
方法１に供される本発明の組成物には、貯蔵安定性の点から、炭素数８〜２２の飽和又は不飽和脂肪酸と多価アルコールとのエステル化合物、及びこれらのアルキレンオキシド付加物（以下（ｅ）成分という）を組成物中０．１〜１０質量％、特に０．５〜５質量％配合することが好ましい。エステル化合物としては、トリグリセライド、ジグリセライド、モノグリセライド、ペンタエリスリトールのモノ、ジ、トリエステル、ソルビタンエステルが好ましい。また、これら化合物にアルキレンオキシドを付加させる場合にはエチレンオキシドが好適であり、平均付加モル数は１０〜２００、好ましくは２０〜１５０である。
【００６５】
方法１に供される本発明の組成物の製造方法としては、先ず、（ｂ）成分と水溶性ポリオールと水（又は（ｂ）成分と水溶性ポリオール水溶液）を混合して組成物（１ａ）を得、さらに（ａ）成分を含む疎水性化合物を混合して組成物（１）を製造する。その場合、組成物（１ａ）中の（ｂ）成分の含有量は１〜１０質量％、水溶性ポリオールの含有量は１０〜９０質量％であることが好ましい。また、水溶性ポリオールと水の質量比は１０／９０〜９０／１０であるのが好ましい。ここで水溶性ポリオールと水とを先に混合して水溶性ポリオール水溶液を調製した後、該水溶液を（ｂ）成分と好ましくは攪拌しながら混合して組成物（１ａ）を製造するのがより好ましい。
【００６６】
組成物（１ａ）と混合する疎水性化合物の量は組成物（１ａ）に含有される（ｂ）成分１質量部に対し、０．０１〜９０質量部、さらに０．１〜８０質量部、特に１〜７０質量部であることが好ましい。
【００６７】
混合方法は特に限定されないが、適当な混合機械力下に、組成物（１ａ）に疎水性化合物を一括添加するか徐々に連続的に添加、もしくは所定量を何回かに分けて添加しても良い。この時、滴下速度または分割添加の回数は特に限定されないが、良好な混合状態が得られるように適宜調製することが好ましい。所定量の疎水性化合物が全て混合され、本発明の組成物（１）が得られる。
【００６８】
また、本発明の別の態様では組成物（１）は次のようにして調製することができる。すなわち、（ｂ）成分と、（ａ）成分を含む疎水性化合物とを混合し、組成物（１ｂ）を調製する。組成物（１ｂ）中の疎水性化合物の量は組成物（１ｂ）に含有される（ｂ）成分１質量部に対し、０．０１〜９０質量部、さらに０．１〜８０質量部、特に１〜７０質量部であることが好ましい。
【００６９】
次に組成物（１ｂ）と水溶性ポリオール水溶液とを攪拌しながら混合して上記組成物（１）を製造する。この場合、水溶性ポリオールの組成物（１）中の含有量は（ｂ）成分１質量部に対して２〜５０質量部、さらに２〜４０質量部、特に４〜３５質量部であるのが好ましい。
【００７０】
混合方法は特に限定されないが、適当な混合機械力下に、（ｂ）成分と疎水性化合物を一括添加するか徐々に連続的に添加、もしくは所定量を何回かに分けて添加しても良い。この時、滴下速度または分割添加の回数は特に限定されないが、良好な混合状態が得られるように適宜調製することが好ましい。所定量の疎水性化合物が全て混合され、組成物（１ｂ）が得られ、更に組成物（１ｂ）と水溶性ポリオール水溶液とを攪拌しながら混合すると組成物（１）が得られる。
【００７１】
組成物（１）をついで水と混合して目的の乳化物を得る。水との混合方法は特に限定されず、組成物（１）の粘度と混合する水の量に応じて適当な機械力下にて混合される。混合される水の量は組成物（１）／水の質量比が１／９９〜９９／１、さらに１／９９〜６５／３５、特に１／９９〜５０／５０の範囲であることが好ましい。
【００７２】
方法１は、上記本発明の組成物を衣料の洗濯工程におけるすすぎの段階で用いることが好適であり、方法１に供される本発明の組成物をすすぎ水に対して、好ましくは０．０２〜０．１５質量％、より好ましくは０．０２〜０．１質量％、特に好ましくは０．０５〜０．１質量％用い、処理する衣料に対して、好ましくは０．０１〜２質量％、より好ましくは０．０３〜１．２質量％、特に好ましくは０．０７〜１質量％用いる。浸漬時間は、好ましくは１〜１０分、より好ましくは１〜５分、特に好ましくは２〜４分であり、浸漬中は攪拌を加えてもよい。また、浸漬水の温度は、好ましくは０〜５０℃、特に好ましくは５〜４０℃である。対象衣料を浸漬した後は、脱水し自然乾燥、又は回転式加熱乾燥機を用いて乾燥することができる。
【００７３】
方法２に供させる本発明の組成物としては、（ａ）成分を好ましくは０．１〜５０質量％、より好ましくは０．５〜３０質量％、特に好ましくは１〜２５質量％、（ｂ）成分を好ましくは０．０１〜５０質量％、より好ましくは０．０１〜３０質量％、特に好ましくは０．０１〜１０質量％含有する水溶液の形態が好適である。また（ａ）成分の吸着を効率的に行わせる目的から、（ａ）成分／（ｂ）成分の質量比は、好ましくは１／１００〜８／１、より好ましくは１／５０〜８／１が好適である。本発明の組成物のｐＨは貯蔵安定性の点から、好ましくは２〜９、より好ましくは２〜７が好適であり、このようなｐＨに調整する方法としては、上記方法１と同様である。
【００７４】
また、（ａ）成分の貯蔵安定性、及び水に分散、可溶化又は乳化させる目的から上記（ｃ）成分を併用することができるが、このような界面活性剤を多量に用いると噴霧した組成物の大部分は衣料に残るため、衣料の感触を変化させたり、逆に皮膚に対して刺激を与える場合があるため好ましくない。このため、方法２に供される本発明の組成物中の（ｃ）成分の含有量は、好ましくは０．０１〜５質量％、より好ましくは０．０１〜３質量％、特に好ましくは０．０１〜１質量％である。
【００７５】
方法２に供される本発明の組成物には方法１と同様に貯蔵安定性改善する目的から、（ｄ）成分を用いることが好ましく、特にエタノール、プロパノール、イソプロパノール、エチレングリコール、プロピレングリコール、ジプロピレングリコール、グリセリン、１，３−ブタンジオールが好ましく、とりわけエタノール、プロパノール、グリセリン、ジプロピレングリコールが好ましい。このような有機溶剤の含有量は組成物中、好ましくは０．１〜３０質量％、より好ましくは０．２〜１０質量％、特に好ましくは０．５〜５質量％である。
【００７６】
方法２に供される本発明の組成物の製造方法は方法１と同様である。
【００７７】
方法２においては、本発明の組成物を噴霧装置を具備する容器に充填する。噴霧装置としてはトリガー式が好ましく、特に実開平４−３７５５４号公報の第１図に示されているような液垂れや噴霧の均一性に優れる蓄圧式トリガーを用いることが良好である。
【００７８】
方法２に用いる好ましいトリガー式噴霧装置は、１回のストロークで０．２ｇ〜３．０ｇ、好ましくは０．２〜２．０ｇ、特に好ましくは０．２５〜１．８ｇ、最も好ましくは０．３〜１．０ｇ噴出するものが良好であり、特に地面に垂直に置いた対象物に１５ｃｍ離れた場所からスプレーしたときの液のかかる面積が１００〜８００ｃｍ2、好ましくは１５０〜６００ｃｍ2になる容器が好ましい。また、（ａ）成分を衣料１００ｃｍ2当たり、好ましくは０．０１〜４ｇ、より好ましくは０．０５〜３ｇ、特に好ましくは０．１〜２ｇになるように均一に衣料にスプレーし、乾燥させることが好適である。
【００７９】
方法２は、洗濯工程の脱水が終了した濡れた状態の衣料に、本発明の組成物を噴霧した後、自然乾燥又は回転式加熱乾燥機による乾燥を行うことができる。
【００８０】
方法３は、（ａ）成分及び（ｂ）成分を含有する本発明の組成物を不織布等の可撓性吸収体に担持させた物品を対象衣料と共に回転式加熱乾燥装置に入れて加熱処理を行う方法である。このような方法に供される本発明の組成物は、（ａ）成分を好ましくは５〜５０質量％、より好ましくは１０〜３０質量％、特に好ましくは１５〜２５質量％、（ｂ）成分を好ましくは０．０１〜５０質量％、より好ましくは０．１〜２５質量％、特に好ましくは０．１〜１０質量％含有する。また（ａ）成分の吸着を効率的に行わせる目的から、（ａ）成分／（ｂ）成分の質量比は、好ましくは１／１００〜８／１、より好ましくは１／５０〜８／１である。また、融点が３０〜１００℃の有機結合剤（以下（ｆ）成分という）を好ましくは３０〜９９質量％、より好ましくは４０〜９０質量％、特に好ましくは５０〜８０質量％含有する。
【００８１】
方法３において、配合することが出来る好ましい（ｆ）成分として、（１）炭素数１２〜２８の脂肪酸又は脂肪族アルコール、（２）植物油、動物油から選ばれる油脂を水素化触媒を用いて水素化又は部分水素化した硬化油脂又は半硬化油脂、もしくはこれらのアルキレンオキシド付加物、（３）アルキレン基の炭素数が２又は３の平均分子量（ゲルパーミエーションクロマトグラフィーによりポリエチレングリコールを標準として求める）が１０００〜１５，０００のポリアルキレングリコール、（４）アルキル基の炭素数が１０〜１８であり、オキシエチレン基の平均付加モル数が２０〜２００のポリオキシエチレンアルキルエーテル、又は炭素数１２〜１８の脂肪酸とオキシアルキレン基の平均付加モル数２０〜２００のポリオキシアルキレンとのエステル化合物、（５）炭素数３〜８のヒドロキシ基を３〜６個有する多価アルコールと炭素数１２〜２０の脂肪酸とのエステル化合物（但し（２）の化合物は除く）、又はこれらのアルキレンオキシド付加物、（６）分子中に炭素数１２〜３６の炭化水素基を１又は２個、と残りが炭素数１〜３のアルキル基及び／又はヒドロキシアルキル基である第３級アミン化合物を挙げることができる。本発明では特に（４）の化合物及び（５）の化合物が好適であり、（５）の化合物が最も好ましい。
【００８２】
可撓性吸収体としては、紙、織物、不織布、スポンジを挙げることができ、特に空隙率が７０〜９０％の可撓性吸収体が好ましい。ここで、空隙率は下式で求めることができる。
【００８３】
空隙率＝［１−Ｗ／（Ｔ＊ε）］×１００
〔式中、Ｗは可撓性吸収体の質量であり、Ｔは可撓性吸収体の体積であり、εは可撓性吸収体を構成する材料の比重を示す。〕
本発明では特に、効率的に（ａ）成分を吸着させる目的から不織布が最も好適である。不織布としては、湿式不織布、ケミカルボンド、サーマルボンド、エアレイ等の乾式不織布の他にスパンレース、スパンボンド、メルトブローン、ニードルパンチ及び／又はステッチボンドを挙げることができるが、特に湿式不織布、ケミカルボンド、サーマルボンド、メルトブローン又はスパンレースから選ばれる１種以上が好ましい。また、不織布は坪量１０〜１５０ｇ／ｍ2、より好ましくは１０〜１００ｇ／ｍ2、特に好ましくは１５〜８０ｇ／ｍ2のものが好適である。
【００８４】
不織布の材質としては、ポリプロピレン、ポリエチレン、ポリエステル、ポリ塩化ビニルから選ばれる疎水性繊維、ナイロン、レーヨン、アクリル、ビニロン、ポリウレタン、セルロースから選ばれる親水性繊維を用いることができる。本発明では疎水性繊維及び親水性繊維を併用することができるが、疎水性繊維の割合が５０質量％以上であることが好ましく、特にポリプロピレン、ポリエチレン、ポリエステルから選ばれる１種以上の繊維を５０質量％以上含有する不織布が好適である。
【００８５】
不織布を構成する繊維は１〜２０ｄｔｅｘ、好ましくは１〜１０ｄｔｅｘが好適であり、繊維長は３８〜１０２ｍｍが好適である。
【００８６】
本発明に用いられる可撓性吸収体はブロック状でもよくシート状でも良いが、しわ除去効果の点からシート状のものが良好である。シートの厚さとしては、好ましくは平均２０μｍ〜１０００μｍ、特に好ましくは５０μｍ〜５００μｍであり、回転式加熱乾燥機の大きさにもよるが、縦；１０〜３０ｃｍ、横；１０〜５０ｃｍ程度の大きさのものが適当である。
【００８７】
方法３に供される物品は上記可撓性吸収体に上述の本発明の組成物を担持させる。可撓性吸収体がシート状のものを用いる場合において、本発明の組成物の担持量は、好ましくは３〜８０ｇ／ｍ2、より好ましくは５〜６０ｇ／ｍ2、特に好ましくは１０〜４５ｇ／ｍ2である。また、可撓性吸収体の空隙率に対して１０〜６０％、好ましくは２０〜５０％の容積になるように担持させることが好ましい。担持方法としては、リバースロールコーター法、グラビアロールコーター法、オポジットナイフコーター法、インバースナイフコーター法、キスロールコーター法、スプレーコート法、エアナイフコーター法、デイィップロールコーター法、ダイレクトロールコーター法、ハケ塗り法等の湿式コーティング法を用いて担持させることができ、特にグラビアロールコーター法が製造の容易性の点から好ましい。
【００８８】
方法３においては、対象衣料、及び上記物品を回転式加熱乾燥機に投入し加熱処理する。対象衣料に対する上記物品の比率は、上記物品中の本発明の組成物の質量が衣料製品の質量に対して、好ましくは０．０１〜５質量％、より好ましくは０．０３〜３質量％になる比率である。また、衣料製品の量は回転式加熱乾燥機の乾燥室の体積に対して少ないほど良く、３０ｇ／ｍ3以下になるように投入することが好ましい。また、このような回転式加熱乾燥機処理において、温度は３０〜１２０℃、好ましくは４０〜１００℃であり、処理時間は、好ましくは５〜４０分、より好ましくは１０〜３０分程度が好適である。
【００８９】
方法１〜方法３に供される本発明の組成物には、通常繊維処理剤に配合されるシリコーン、香料（特に好ましくは特開平８−１１３８７号公報記載の成分（ｃ）及び（ｄ）にて示された香気成分の組み合わせ）あるいは色素等の成分を配合しても差し支えない。
【実施例】
【００９０】
実施例に用いる配合成分を以下にまとめて示す。
【００９１】
＜配合成分＞
・（ａ）成分
（ａ−１）：特開平６−２７１４４３号公報の製造例１に記載の方法で得られた１−（２−ヒドロキシエチルアミノ）−３−トコフェリルオキシ−２−プロパノール
（ａ−２）：特開平８−３１９２６３号公報の実施例における化合物（１ｈ）（一般式（ａ２）において、Ｒ6：Ｃ15Ｈ31、Ｒ7：−Ｃ2Ｈ4ＯＣＨ3、Ｅ：Ｏ、Ｒ8：Ｃ16Ｈ33、ｂ：１の化合物）
（ａ−３）：上記セラミド４
（ａ−４）：コレステリルヘミアルケニルコハク酸エステル
（ａ−５）：コレステロール
（ａ−６）：ヒアルロン酸ナトリウム
（ａ−７）：ひまわり油
（ａ−８）：ワセリン
（ａ−９）：オレイン酸ジグリセライド
・（ｂ）成分
（ｂ−１）：下記合成例１で製造したポリオキシアルキレン化されたヒドロキシエチルセルロース誘導体
（ｂ−２）：下記合成例２で製造したポリオキシアルキレン化されたヒドロキシエチルセルロース誘導体
・（ｃ）成分
（ｃ１−１）：Ｎ−ステアロイルアミノプロピル−Ｎ−ステアロイルオキシエチル−Ｎ−メチルアミン
（ｃ２−１）：Ｎ−ステアロイルアミノプロピル−Ｎ−ステアロイルオキシエチル−Ｎ，Ｎ−ジメチルアンモニウムクロリド
（ｃ３−１）：ポリオキシエチレンラウリルエーテル
・（ｄ）成分
（ｄ−１）：エタノール
（ｄ−２）：グリセリン
・（ｅ）成分
（ｅ−１）：硬化ひまし油にエチレンオキシドを４０モル付加させた化合物
・（ｆ）成分
（ｆ−１）：ポリオキシエチレンソルビタンモノステアレ−ト（花王（株）製レオド−ルＴＷ−Ｓ１０６）
（ｆ−２）：ポリオキシエチレンソルビタンモノステアレ−ト（花王（株）製レオド−ルＴＷ−Ｓ１２０）
（ｆ−３）：ソルビタンモノステアレ−ト（花王（株）製レオド−ルＳＰ−Ｓ１０）
合成例１：（ｂ−１）の合成
重量平均分子量２０万、ヒドロキシエチル基の置換度２．５のヒドロキシエチルセルロース（ＮＡＴＲＯＺＯＬ  ２５０Ｇ，ハーキュレス社製）１６０ｇ、含水８０％イソプロピルアルコール１２８０ｇ、４８％水酸化ナトリウム水溶液９．８ｇを混合してスラリー液を調製し、窒素雰囲気下、室温で３０分攪拌した。この溶液に、次式（ｂ１−１−１）
【００９２】
【化１１】
2005082915.tif 000010
【００９３】
で表される化合物３１．８ｇを加え、８０℃で８時間反応させてポリオキシアルキレン化を行った。反応終了後、反応液を酢酸で中和し、反応生成物を濾別した。反応生成物をイソプロピルアルコール７００ｇで２回洗浄後、減圧下６０℃で一昼夜乾燥し、ポリオキシアルキレン化されたヒドロキシエチルセルロース誘導体（ｂ−１）１５２ｇを得た。得られたヒドロキシエチルセルロース誘導体のポリオキシアルキレン基を含む置換基（ｂ１）の置換度は０．０１４であった。
【００９４】
合成例２：（ｂ−２）の合成
重量平均分子量５０万、ヒドロキシエチル基の置換度１．８のヒドロキシエチルセルロース（ＨＥＣ−ＱＰ−４４００Ｈ，ユニオンカーバイド社製）８０ｇ、含水８０％イソプロピルアルコール６４０ｇ、４８％水酸化ナトリウム水溶液５．３４ｇを混合してスラリー液を調製し、窒素雰囲気下、室温で３０分攪拌した。この溶液に、上記式（ｂ１−１−１）で表される化合物１２．７８ｇを加え、８０℃で８時間反応させてポリオキシアルキレン化を行った。反応終了後、反応液を酢酸で中和し、反応生成物を濾別した。反応生成物をイソプロピルアルコール５００ｇで２回洗浄後、減圧下６０℃で一昼夜乾燥し、ポリオキシアルキレン化されたヒドロキシエチルセルロース誘導体（ｂ−２）７３ｇを得た。得られたヒドロキシエチルセルロース誘導体のポリオキシアルキレン基を含む置換基（ｂ１）の置換度は０．００４であった。
【００９５】
実施例１
表１に示す（ａ）〜（ｅ）成分を用い、表１に示す組成の衣料用処理剤組成物を調製した。得られた組成物を下記方法で衣料に処理し、その吸着量を測定した。結果を表１に示す。
【００９６】
＜吸着量測定方法＞
２０℃，４度硬水３９００ｇ中に各組成物を、（ａ）成分が１５質量％となる割合で添加し１分間攪拌する（ミニ洗濯機使用）。その後、木綿メリヤス約１６ｇ×８枚（トータルで約１３０ｇ）を加え５分間処理する。処理終了後脱水（３分）を行い一晩乾燥（風乾）させる。乾燥後、処理布から１ｇづつ切り取りヘキサン５ｍＬ（本発明品４の場合はイソプロピルアルコール（ＩＰＡ）５ｍｌ）および内部標準を添加した後、バス式ソニケーターにて１５分処理を行う。抽出液（ヘキサンまたはＩＰＡ）を用いキャピラリーＧＣにて定量を行う。
カラム：ＤＢ−１ＨＴ  １５ｍ
条件：  １００℃→１０℃／ｍｉｎ→３４０℃→３４０℃保持３６ｍｉｎ
【００９７】
【表１】
2005082915.tif 000011
【００９８】
＊：２０℃におけるｐＨ、１／１０規定硫酸水溶液及び１／１０規定水酸化ナトリウム水溶液を用いて調整した。
【００９９】
実施例２
実施例１と同様の衣料用処理剤組成物（本発明品１〜９及び比較品１）を調製した。得られた組成物を下記方法で衣料に処理し、その性能を下記方法で評価した。その結果、本発明品で処理したものはいずれも、比較品１で処理したものに比べ皮膚の状態が良好であった。
【０１００】
＜衣料への処理方法及び性能評価法＞
木綿金巾＃２００３（谷頭商店製）を２槽式洗濯機（東芝（株）製２槽式洗濯機ＶＨ−３６０Ｓ１）で市販洗剤を用いて洗浄し（花王（株）製アタック、洗剤濃度０．０６６７質量％、水道水使用、水温２０℃、１０分洗浄後、１５分流水すすぎした後、５分間脱水）、自然乾燥させた。このものを２５ｃｍ×２５ｃｍに裁断し、試験布を得る。この試験布１０枚を全自動洗濯機（松下電器（株）製ＮＡ−Ｆ５０Ｋ１）で市販洗剤を用いて再度洗濯する（花王（株）製アタック、洗剤濃度０．０６６７質量％、水道水使用、水量３０Ｌ、水温２０℃、洗浄１０分、ためすすぎ２回、脱水４０秒）。最後のためすすぎの段階で、各組成物を３０ｍＬ添加し、５分攪拌後脱水し、その後各試験布を広げ、平干しにして室内で自然乾燥させる。
【０１０１】
この試験布１枚を４ｃｍ×４ｃｍに切り抜き、入浴後に３０代男性の左上腕内側に絆創膏で貼付ける。次の日の入浴前に該布を取り除き、入浴後、同じ場所に再び貼付ける。この操作を、それぞれ１０人の３０代男性に２０日間続ける。終了後、皮膚表面の状態を目視で観察する。
【０１０２】
実施例３
表２に示す（ａ）〜（ｅ）成分を用い、表２に示す組成の衣料用処理剤組成物を調製した。得られた組成物を下記方法で衣料に処理し、その性能を下記方法で評価した。その結果、本発明品で処理したものはいずれも、比較品２で処理したものに比べ皮膚の状態が良好であった。これは、（ａ）成分と（ｂ）成分を併用することにより、繊維から（ａ）成分の保湿物質が皮膚へ効率よく転移したことによると推定される。
【０１０３】
＜衣料への処理方法及び性能評価法＞
木綿金巾＃２００３（谷頭商店製）を２槽式洗濯機（東芝（株）製２槽式洗濯機ＶＨ−３６０Ｓ１）で市販洗剤を用いて洗浄し（花王（株）製アタック、洗剤濃度０．０６６７質量％、水道水使用、水温２０℃、１０分洗浄後、１５分流水すすぎした後、５分間脱水）、自然乾燥させた。このものを２５ｃｍ×２５ｃｍに裁断し、試験布を得る。この試験布１０枚を全自動洗濯機（松下電器（株）製ＮＡ−Ｆ５０Ｋ１）で市販洗剤を用いて再度洗濯する（花王（株）製アタック、洗剤濃度０．０６６７質量％、水道水使用、水量３０Ｌ、水温２０℃、洗浄１０分、ためすすぎ２回、脱水４０秒）。脱水終了後の試験布１０枚にスプレーバイアル（マルエム社製Ｎｏ．６）を用いて各組成物を試験布に対して同質量になるように試験布全体に均一にスプレーする。その後各試験布を広げ、平干しにして室内で自然乾燥させる。
【０１０４】
これらの試験布を実施例１と同様の方法で３０代男性に貼り付ける操作を行い、操作終了後の皮膚表面の状態を目視で観察する。
【０１０５】
【表２】
2005082915.tif 000012
【０１０６】
＊：２０℃におけるｐＨ、１／１０規定硫酸水溶液及び１／１０規定水酸化ナトリウム水溶液を用いて調整した。
【０１０７】
実施例４
表３に示す（ａ）、（ｂ）及び（ｆ）成分を用い、表３に示す組成の衣料用処理剤組成物を調製した。得られた組成物を下記方法で衣料に処理し、その性能を下記方法で評価した。その結果、本発明品で処理したものはいずれも、未処理のものと比べ皮膚の状態が良好であった。
【０１０８】
＜衣料への処理方法及び性能評価法＞
各組成物を約７０℃で溶融混合して、しわ除去剤を調製し、空隙率８５％、坪量２０ｇ／ｍ2、厚さ約２００μｍのポリエステル不織布にグラビアロールコーター法を用いて担持させる。この際、担持量は３０ｇ／ｍ2になるよう調節する。こうして得られたシートを縦２０ｃｍ、横３０ｃｍに裁断し試験用サンプルシートとする。
【０１０９】
一般に市販されている男性用肌着（商品名：グンゼＹＧ）を予め全自動洗濯機（松下電器産業（株）製  ＮＡ−Ｆ５０Ｋ１  やさしい愛妻号  標準コース）を用いて１０回繰り返し洗濯し、吊り干し乾燥したものを用意する。
【０１１０】
家庭用回転式衣類乾燥機（松下電器産業（株）製  ＮＨ−Ｄ５０２型）を用いて、吊り干し乾燥後の肌着を５枚と、試験用サンプルシート１枚を投入してから２０分間乾燥機を運転する。この条件では、（ａ）成分の質量は衣料製品の質量に対して約０．３％となり、また衣料製品の量は乾燥室の体積に対して８ｇ／ｍ3になる。乾燥機で処理した肌着を乾燥機から取り出し室温で１時間放置する。
【０１１１】
別の吊り干し乾燥後の肌着を５枚用い、試験用サンプルシートを入れない以外は同様の方法で、未処理品を得る。
【０１１２】
これら肌着を４ｃｍ×４ｃｍに裁断し、実施例１と同様の方法で３０代男性に貼り付ける操作を行い、操作終了後の皮膚表面の状態を目視で観察する。
【０１１３】
【表３】
2005082915.tif 000013